(57)【特許請求の範囲】
【請求項１】
棒材の一端を略直角に折り曲げて一端折曲げ部を形成する一端曲げ工程と、前記棒材の他端を、前記一端折曲げ部と同一平面内において、前記一端折曲げ部と逆方向に略直角に折り曲げて他端折曲げ部を形成する他端曲げ工程と、前記一端折曲げ部と前記他端折曲げ部とが互いに略平行になるように、前記棒材の中央部を所定角度に折り曲げる中央曲げ工程とによって、前記棒材を曲げ加工する、棒材の曲げ加工装置において、
水平中心軸を中心として一方面と他方面とがＶ字形になるように変形可能な、前記一端曲げ工程および前記他端曲げ工程において、前記棒材がのせられる第１受け基台と、
水平中心軸を中心として一方面と他方面とがＶ字形になるように変形可能な、前記中央曲げ工程において、前記棒材がのせられる、前記第１受け基台と平行に固定された第２受け基台と、
前記第１受け基台の中央下部に設けられた、前記第１受け基台の変形をガイドするための第１ガイド台と、
前記第２受け基台の中央下部に設けられた、前記第２受け基台の変形をガイドするための第２ガイド台と、
前記第１受け基台および前記第２受け基台の前記中心軸上に垂直に下降して、前記第１受け基台および前記第２受け基台を、前記棒材と共に同時にＶ字形に変形させるためのポンチと、
前記第１受け基台および前記第２受け基台上にのせられた前記棒材を位置決めするための位置決め手段とからなることを特徴とする、棒材の曲げ加工装置。
【請求項２】
前記位置決め手段は、前記第１受け基台の一方面側に設けられた第１位置決め手段、第２位置決め手段、第３位置決め手段および第４位置決め手段と、前記第２受け基台の一方面側に設けられた第５位置決め手段および第６位置決め手段と、前記第２受け基台の他方面側に設けられた第７位置決め手段とからなり、
前記第１位置決め手段は、前記一端曲げ工程において、前記棒材の前記一端折曲げ部の折曲げ長さを決め、
前記第２位置決め手段は、前記一端曲げ工程において、前記棒材の軸線と前記第１受け基台の前記中心軸の軸線とを直交させ、
前記第３位置決め手段は、前記他端曲げ工程において、前記棒材の前記他端折曲げ部の折曲げ長さを決め、
前記第４位置決め手段は、前記他端曲げ工程において、前記棒材の軸線と前記第１受け基台の前記中心軸の軸線とを直交させ、
前記第５位置決め手段は、前記中央曲げ工程において、前記一端折曲げ部と前記他端折曲げ部との間の前記棒材の中央部の軸線と、前記第２受け基台の前記中心軸の軸線とを直交させ、
前記第６位置決め手段は、前記中央曲げ工程において、前記棒材の前記一端折曲げ部を前記第２受け基台上に水平に固定し、
前記第７位置決め手段は、前記中央曲げ工程において、前記棒材の前記他端折曲げ部を前記第２受け基台上に水平に固定し、
前記第３位置決め手段は、前記他端曲げ工程において、前記棒材が折り曲げられるにつれて、後方に逃げるように構成されていることに特徴を有する、請求項１記載の、棒材の曲げ加工装置。
【請求項３】
前記ポンチは、前記一端曲げ工程および前記他端曲げ工程用の固定ポンチと、前記中央曲げ工程用の上下動自在な可動ポンチとからなることを特徴とする、請求項１記載の、棒材の曲げ加工装置。
【請求項４】
前記第１位置決め手段は、前記棒材の軸線方向の任意位置に固定可能になっていることを特徴とする、請求項２記載の、棒材の曲げ加工装置。
【発明の詳細な説明】
【０００１】
【産業上の利用分野】
この発明は、棒材の曲げ加工装置、特に、ねじれの発生なく棒材を、高能率で曲げ加工することができる棒材の曲げ加工装置に関するものである。
【０００２】
【従来の技術】
建築物の床板として使用される合成スラブは、デッキプレートとこのデッキプレート上に所定厚さに打設したコンクリートとからなっている。合成スラブは、デッキプレートを梁間に水平に載置し固定した後、デッキプレート上にコンクリートを打設することによって構築される。
【０００３】
このような構造の合成スラブに使用される合成スラブ用デッキプレートは、コンクリート打設時の型枠としての機能と、打設コンクリートの硬化後において、コンクリートと一体化して合成スラブの強度を高め、合成スラブに作用する曲げモーメントに対して、高い強度を維持する補強材としての機能とを合わせ持っている。
【０００４】
合成スラブが載置され固定される梁の間隔は、通常、３．０から３．４ｍである。梁間隔は、合成スラブの剛性からいえば、さらに広げることも可能であるが、上述したように、合成スラブは、デッキプレートを梁間に固定した後、デッキプレート上にコンクリートを打設することによって構築されるので、デッキプレート自体の断面剛性を増加させないと、コンクリート打設時、コンクリートの重量によってデッキプレートが撓んで、コンクリートに亀裂が発生する恐れがあった。
【０００５】
そこで、合成スラブ用デッキプレートの断面剛性を高める工夫が種々なされている。その一例として、実開平４−９４００９号公報には、図１０に示すように、デッキプレート１の隣接する山部間の一対の溝１Ａに固定金具２を嵌め込み、この固定金具２によって鉄筋からなる梁材３をデッキプレート１の谷部上に配筋する方法が開示されている。梁材３をデッキプレート１の谷部上に配筋するには、複数個の固定金具２の頂部に亘って梁材３を溶接し、デッキプレート１の隣接する山部に形成された一対の溝１Ａに固定金具２を、その弾性力を利用して嵌め込む。
【０００６】
しかしながら、上述した固定金具２は、次のような問題点を有していた。即ち、固定金具２のデッキプレート１への取付は、固定金具２の弾性力に抗して固定金具２の幅を狭め、この状態で、デッキプレート１の溝１Ａに固定金具２の端部を嵌め込むことにより行われる。固定金具２の有する弾性力は、これをデッキプレート１の溝１Ａに嵌め込んだときに、デッキプレート１を弾性変形させるほど大きくない。従って、作業中に作業員がデッキプレート１上に乗るなどして、デッキプレート１が大きく撓むと、固定金具２がデッキプレート１の溝１Ａから外れる恐れがあった。
【０００７】
そこで、デッキプレート１が撓んでも外れにくい梁材用固定金具が提案された。この先行技術のデッキプレート用梁材固定金具（以下、先行固定金具という）を図面を参照しながら説明する。
【０００８】
図１１は、先行固定金具を示す斜視図、図１２は、先行固定金具のデッキプレートへの取付け状態を示す平面図、図１３は、先行固定金具のデッキプレートへの取付け状態を示す正面図、図１４は、先行固定金具に梁材を固定した状態を示す平面図である。
【０００９】
先行固定金具４は、デッキプレート１の隣接する山部間の一対の溝１Ａに嵌め込まれる逆Ｕ字型の脚部５と、脚部５の頂部に水平回転自在に取り付けられた梁材固定板６とからなっている。脚部５の端部５Ａは、脚部５の軸線を通る垂直平面に関して互いに逆方向にほぼ直角に折れ曲がっている。脚部５の有する弾性力は、デッキプレート１の弾性力より大きい。梁材固定板６は、脚部５の頂部に固定された基板７上にヒンジ８によって、水平回転自在に取り付けられている。
【００１０】
このように構成されている、先行固定金具４によって、デッキプレート１に鉄筋からなる梁材９を配筋するには、図１４に示すように、複数個の固定金具４の梁材固定板６上に亘って、梁材３を溶接やかしめ等によって固定し、これをデッキプレート１の谷部に配す。そして、図１２に示すように、各固定金具４の脚部５を図中２点鎖線方向、即ち、端部５Ａの折曲がり方向と逆方向に回転させて、脚部５の端部５Ａをデッキプレート１の溝１Ａ内に嵌め込む。
【００１１】
脚部５の回転は、梁材固定板６が基板７上に回転自在に取り付けられていること、および、脚部５をその端部５Ａの折曲がり方向と逆方向に回転させることによって円滑に行える。このように、溝１Ａ内への脚部５の嵌込みは、回転操作によって行われるので、脚部５の弾性力が大きくても小さい力で容易に脚部５の端部５Ａを溝１Ａ内に嵌め込むことができる。しかも、脚部５の弾性力は、デッキプレート１の有する弾性力より大きいので、脚部５が溝１Ａに嵌まり込むことによって、デッキプレート１は弾性変形し、脚部５を固定する。これによって、固定金具４の取付け作業時、作業員がデッキプレート１上に乗ること等によってデッキプレート１に撓み力が作用しても、既に、デッキプレート１に取り付けられた固定金具４がデッキプレート１の溝１Ａから外れる恐れはない。
【００１２】
従来、上述した先行固定金具４の脚部５を製造するには、図１５に示すように、Ｖ字形金型９に丸鋼からなる棒材１０をのせ、ポンチ１１を下降させることによって行っていた。
【００１３】
【発明が解決しようとする課題】
しかしながら、金型９と棒材１０とは金型９の肩部において点接触しているために、曲げ過程で棒材１０が金型９からずれて、棒材１０にねじれが生じ、結果的に脚部５の端部５Ａが平行でなくなる恐れがあった。脚部５の端部５Ａが平行でないと、図１２に示すように、固定金具４をデッキプレート１の溝１Ａに嵌め込んだときに固定金具４が不安定となり、固定金具４と梁材３との固定が良好に行えない。
【００１４】
従って、この発明の目的は、ねじれの発生なく棒材を、高能率で曲げ加工することができる棒材の曲げ加工装置を提供することにある。
【００１５】
【課題を解決するための手段】
この発明は、棒材の一端を略直角に折り曲げて一端折曲げ部を形成する一端曲げ工程と、前記棒材の他端を、前記一端折曲げ部と同一平面内において、前記一端折曲げ部と逆方向に略直角に折り曲げて他端折曲げ部を形成する他端曲げ工程と、前記一端折曲げ部と前記他端折曲げ部とが互いに略平行になるように、前記棒材の中央部を所定角度に折り曲げる中央曲げ工程とによって、前記棒材を曲げ加工する、棒材の曲げ加工装置において、
水平中心軸を中心として一方面と他方面とがＶ字形になるように変形可能な、前記一端曲げ工程および前記他端曲げ工程において、前記棒材がのせられる第１受け基台と、
水平中心軸を中心として一方面と他方面とがＶ字形になるように変形可能な、前記中央曲げ工程において、前記棒材がのせられる、前記第１受け基台と平行に固定された第２受け基台と、
前記第１受け基台の中央下部に設けられた、前記第１受け基台の変形をガイドするための第１ガイド台と、
前記第２受け基台の中央下部に設けられた、前記第２受け基台の変形をガイドするための第２ガイド台と、
前記第１受け基台および前記第２受け基台の前記中心軸上に垂直に下降して、前記第１受け基台および前記第２受け基台を、前記棒材と共に同時にＶ字形に変形させるためのポンチと、
前記第１受け基台および前記第２受け基台上にのせられた前記棒材を位置決めするための位置決め手段とからなることに特徴を有するものである。
【００１６】
この発明の別の特徴は、前記位置決め手段は、前記第１受け基台の一方面側に設けられた第１位置決め手段、第２位置決め手段、第３位置決め手段および第４位置決め手段と、前記第２受け基台の一方面側に設けられた第５位置決め手段および第６位置決め手段と、前記第２受け基台の他方面側に設けられた第７位置決め手段とからなり、
前記第１位置決め手段は、前記一端曲げ工程において、前記棒材の前記一端折曲げ部の折曲げ長さを決め、
前記第２位置決め手段は、前記一端曲げ工程において、前記棒材の軸線と前記第１受け基台の前記中心軸の軸線とを直交させ、
前記第３位置決め手段は、前記他端曲げ工程において、前記棒材の前記他端折曲げ部の折曲げ長さを決め、
前記第４位置決め手段は、前記他端曲げ工程において、前記棒材の軸線と前記第１受け基台の前記中心軸の軸線とを直交させ、
前記第５位置決め手段は、前記中央曲げ工程において、前記一端折曲げ部と前記他端折曲げ部との間の前記棒材の中央部の軸線と、前記第２受け基台の前記中心軸の軸線とを直交させ、
前記第６位置決め手段は、前記中央曲げ工程において、前記棒材の前記一端折曲げ部を前記第２受け基台上に水平に固定し、
前記第７位置決め手段は、前記中央曲げ工程において、前記棒材の前記他端折曲げ部を前記第２受け基台上に水平に固定し、
前記第３位置決め手段は、前記他端曲げ工程において、前記棒材が折り曲げられるにつれて、後方に逃げるように構成されていることにある。
【００１７】
この発明の更に別の特徴は、前記ポンチは、前記一端曲げ工程および前記他端曲げ工程用の固定ポンチと、前記中央曲げ工程用の上下動自在な可動ポンチとからなることにある。
【００１８】
この発明の更に別の特徴は、前記第１位置決め手段は、前記棒材の軸線方向の任意位置に固定可能になっていることにある。
【００１９】
【作用】
受け基台がポンチの下降に伴ってＶ字形に変形し、しかも、常に、位置決め手段によって棒材の軸線と受け基台の中心軸の軸線とが直角に設定されるので、曲げ過程での棒材のズレを防止できる。従って、棒材にねじれが生じることはない。更に、ポンチを、一端および他端曲げ工程用の固定ポンチと、中央曲げ工程用の上下動自在な可動ポンチとから構成すれば、一端、他端および中央曲げを、ポンチを交換するとなく、しかも、一工程で行うことができ、棒材の曲げ加工能率を大幅に向上させることができる。また、可動ポンチの上下位置を調整することによって、棒材の中央曲げ角度を自在に調整することができる。
【００２０】
【実施例】
次に、この発明の、棒材の曲げ加工装置の一実施例を、図面を参照しながら説明する。
【００２１】
図１は、この発明の、棒材の曲げ加工装置の一実施例を示す正面図、図２は、この発明の、棒材の曲げ加工装置の一実施例を示す平面図、図３は、この発明の、棒材の曲げ加工装置の一実施例を示す右側面図、図４は、この発明の、棒材の曲げ加工装置による工程毎の棒材を示す正面図、図５は、この発明の、棒材の曲げ加工装置の棒材の曲げ状態を示す正面図、図６は、この発明の、棒材の曲げ加工装置のポンチを示す右側面図、図７は、この発明の、棒材の曲げ加工装置のポンチを示す正面図、図８は、この発明の、棒材の曲げ加工装置の第３位置決め手段を示す斜視図、図９は、棒材の曲げ加工装置の第６位置決め手段を示す斜視図である。
【００２２】
図面において、１２は、棒材１０の、後述する一端および他端曲げ工程用第１受け基台であり、１３は、棒材１０の、後述する中央曲げ工程用第２受け基台である。第１および第２受け基台１２、１３は、後述するポンチによってヒンジの中心軸１４、１５を中心として一方面と他方面とがＶ字形になるように変形可能になっている。第１および第２受け基台１２、１３は、互いの中心軸１４、１５が同一直線上に並ぶように平行に固定されている。１６は、第１受け基台１２の中央下部に設けられた、第１受け基台１２の変形をガイドするための第１ガイド台であり、Ｖ字状の凹部１６Ａが形成されている。１７は、第２受け基台１３の中央下部に設けられた、第２受け基台１３の変形をガイドするための第２ガイド台であり、Ｖ字状の凹部１７Ａが形成されている。
【００２３】
１８は、ポンチであり、第１および第２受け基台１２、１３の中心軸１４、１５上に垂直に下降して、第１および第２受け基台１２、１３をＶ字形に変形させ、第１および第２受け基台１２、１３上にのせられた棒材１０をＶ字形に折り曲げるものである。ポンチ１８は、図６および図７に示すように、基板１９に固定された一端および他端曲げ工程用の固定ポンチ２０と、基板１９に固定ポンチ２０と直線状に並べて設けられた中央曲げ工程用の上下動自在な可動ポンチ２１とからなっている。可動ポンチ２１は、基板１９に固定されたホルダー２２と、ホルダー２２内に上下動可能に挿入されたポンチ本体２３と、ホルダー２２内に挿入されたクサビ２４と、クサビ２４を水平移動させて、ポンチ本体２３をホルダー２２に対して昇降させるための調整ネジ２５とから構成されている。
【００２４】
２６は、棒材１０の一端曲げ工程において、棒材１０の一端面に当接し、棒材１０の一端折曲げ部１０Ａの折曲げ長さを決めるための第１位置決め手段である。第１位置決め手段２６は、第１ガイド台１６の側面に固定されたアーム２７に取り付けられており、ボルト２８によって、第１受け基台１２上にのせられた棒材１０の軸線方向（水平方向）の任意位置に固定可能になっている。２９は、棒材１０の一端曲げ工程において、棒材１０のサイド位置決め用の第２位置決め手段であり、第１受け基台１２の一方面上に設けられている。第２位置決め手段２９の前面（Ａ）を含む平面は、第１受け基台１２の中心軸１４の軸線（Ｌ）と直交している。
【００２５】
３０は、第１受け基台１２の一方面の側方に設けられた第３位置決め手段である。第３位置決め手段３０は、棒材１０の他端曲げ工程において、棒材１０の一端折曲げ部１０Ａを、これが第１受け基台面１２に対して下向きになるように固定して、棒材１０の他端折曲げ部１０Ｂの折曲げ長さを決める。第３位置決め手段３０は、図８に示すように、第１受け基台１２一方の側面に固定されたレール３１と、レール３１にスライド自在に取り付けられたブラケット３２と、ブラケット３２の背面にハンドル３３によって締め付け自在に取り付けられた、他端曲げ工程において、棒材１０の一端折曲げ部１０Ａをクランプするためのクランプ板３４と、ブラケット３２にレール３１を跨ぐようにしてボルト３５によって取り付けられたネジ取付け金具３６と、ネジ取付け金具３６に取り付けられた位置調整用ネジ棒３７とから構成されている。第３位置決め手段３０は、棒材１０の一端が折り曲げられるにつれて、後方に逃げるので、棒材１０は円滑に折り曲げられる。ネジ棒３７のネジ取付け金具３６内からの突出長さを調整すれば、棒材１０の他端折曲げ部１０Ｂの折曲げ長さが任意に決められる。
【００２６】
３８は、第１受け基台１２の一方面上に設けられた第４位置決め手段であり、棒材１０の他端曲げ工程において、棒材１０のサイドの位置決めを行う。第３位置決め手段３０のブラケット３２の背面（Ｃ）と第４位置決め手段３８の背面（Ｂ）とを含む平面は、第１受け基台１２の中心軸１４の軸線（Ｌ）と直交している。
【００２７】
３９は、第２受け基台１３の一方面上に設けられた第５位置決め手段であり、棒材１０の中央曲げ工程において、棒材１０のサイドの位置決めを行う。第５位置決め手段３９の前面（Ｄ）を含む平面は、第２受け基台１３の中心軸１５の軸線（Ｌ）と直交している。４０は、第２受け基台１３の一方面上に、第５位置決め手段３９と棒材１０の太さと等しい間隔をあけて設けられた第６位置決め手段である。第６位置決め手段４０は、図９に示すように、ガイド金具４１とこれに対して出し入れ自在な蓋板４２とから構成されており、棒材１０の中央曲げ工程において、棒材１０の一端折曲げ部１０Ａを第２受け基台１３面上に水平に固定する。
【００２８】
４３は、第２受け基台１３の他方面上に設けられた第７位置決め手段である。第７位置決め手段４３は、第２受け基台１３上に固定されたコ字形押さえ板４４と、押さえ板４４の縁部の任意位置にボルト４５によって固定可能な、棒材１０の中央曲げ工程において、棒材１０の折り曲げ位置を決めるストッパー４６とから構成されている。第７位置決め手段４３は、中央曲げ工程において、棒材１０の他端折曲げ部１０Ｂを、第２受け基台１３面上に水平に固定する。第７位置決め手段４３の前面（Ｅ）と第５位置決め手段３９の前面（Ｄ）を含む平面は、第２受け基台１３の中心軸１５の軸線（Ｌ）と直交している。
【００２９】
このように構成されている、この発明の、棒材の曲げ加工装置によれば、以下のようにして、棒材１０が、上述した梁材固定金具の脚部に曲げ加工される。
【００３０】
先ず、棒材１０の一端曲げ工程として、図２に示すように、棒材１０（図４のＡ）を第１位置決め手段２６および第２位置決め手段２９に当てがう。第１位置決め手段２６は、予め、棒材１０の一端が一端折曲げ部１０Ａの長さに折り曲げられる位置に固定されている。そして、ポンチ１８を下降させる。これによって、棒材１０の一端は、直角に折り曲げられる（図４のＢ）。
【００３１】
次に、棒材１０の他端曲げ工程として、図２に示すように、棒材１０の一端折曲げ部１０Ａを下向きにして、これを第３位置決め手段３０のクランプ板３４によってブラケット３２に固定する。棒材１０のサイドは、第４位置決め手段３８の背面（Ｂ）に当てがう。第３位置決め手段３０は、予め、棒材１０の他端が他端折曲げ部１０Ｂの長さに折り曲げられる位置に、ネジ棒３７によって位置調整されている。そして、ポンチ１５を下降させる。これによって、棒材１０の他端は、一端折曲げ部１０Ａと逆方向に直角に折り曲げられる（図４のＣ）。
【００３２】
次に、棒材１０の中央曲げ工程として、図２に示すように、棒材１０の一端折曲げ部１０Ａを第６位置決め手段４０内に挿入し、棒材１０の他端折曲げ部１０Ｂを第７位置決め手段４３内に挿入する。この場合、第６位置決め手段４０内への挿入は、第６位置決め手段４０の蓋板４２を開くことによって行う。第７位置決め手段４３のストッパー４６は、予め、棒材１０がその中央部から折り曲げられる位置に固定されている。そして、ポンチ１８を下降させる。これによって、棒材１０は、その中央部から、例えば、９０°に折り曲げられる（図４のＤ）。この場合の棒材１０の折り曲げ角度は、クサビ２４の移動によって任意に変更できる。
【００３３】
即ち、可動ポンチ２１の高さは、可動ポンチ２１の調整ネジ２５によって異ならせることができるので、棒材１０の端部曲げ角度と中央曲げ角度が異なっていても、一回の下降ストロークによって曲げ加工を行うことができる。しかも、一端、他端および中央曲げ加工を一工程で行うことができる。
【００３４】
【発明の効果】
以上説明したように、この発明によれば、受け基台がポンチの下降に伴ってＶ字形に変形し、しかも、常に、位置決め手段によって棒材の軸線と受け基台の中心軸の軸線とが直角に設定されるので、曲げ過程での棒材のズレを防止できる。従って、棒材にねじれが生じることはない。更に、ポンチを、一端および他端曲げ工程用の固定ポンチと、中央曲げ工程用の上下動自在な可動ポンチとから構成することによって、一端、他端および中央曲げ加工を、ポンチを交換することなく、一工程で行うことができる。従って、棒材の曲げ加工能率を大幅に向上させることができる。また、可動ポンチの上下位置を調整することによって、棒材の中央曲げ角度を自在に調整することができるといった有用な効果がもたらされる。
【図面の簡単な説明】
【図１】この発明の、棒材の曲げ加工装置の一実施例を示す正面図である。
【図２】この発明の、棒材の曲げ加工装置の一実施例を示す平面図である。
【図３】この発明の、棒材の曲げ加工装置の一実施例を示す右側面図である。
【図４】この発明の、棒材の曲げ加工装置による工程毎の棒材を示す正面図である。
【図５】この発明の、棒材の曲げ加工装置の棒材の曲げ状態を示す正面図である。
【図６】この発明の、棒材の曲げ加工装置のポンチを示す右側面図である。
【図７】この発明の、棒材の曲げ加工装置のポンチを示す正面図である。
【図８】この発明の、棒材の曲げ加工装置の第３位置決め手段を示す斜視図である。
【図９】棒材の曲げ加工装置の第６位置決め手段を示す斜視図である。
【図１０】従来デッキプレート用梁材固定金具を示す斜視図である。
【図１１】先行デッキプレート用梁材固定金具を示す斜視図である。
【図１２】先行デッキプレート用梁材固定金具のデッキプレートへの取付け状態を示す平面図である。
【図１３】先行デッキプレート用梁材固定金具のデッキプレートへの取付け状態を示す正面図である。
【図１４】先行デッキプレート用梁材固定金具に梁材を固定した状態を示す平面図である。
【図１５】従来の棒材の曲げ加工法を示す正面図である。
【符号の説明】
１：デッキプレート、
１Ａ：溝、
２：固定金具、
３：梁材、
４：先行固定金具、
５：脚部、
５Ａ：端部、
６：梁材固定板、
７：基板、
８：ヒンジ、
９：金型、
１０：棒材、
１０Ａ：一端折曲げ部、
１０Ｂ：他端折曲げ部、
１１：ポンチ、
１２：第１受け基台、
１３：第２受け基台、
１４：中心軸、
１５：中心軸、
１６：第１ガイド台、
１６Ａ：凹部、
１７：第２ガイド台、
１７Ａ：凹部、
１８：ポンチ、
１９：基板、
２０：固定ポンチ、
２１：可動ポンチ、
２２：ホルダー、
２３：ポンチ本体、
２４：クサビ、
２５：調整ネジ、
２６：第１位置決め手段、
２７：アーム、
２８：ボルト、
２９：第２位置決め手段、
３０：第３位置決め手段、
３１：レール、
３２：ブラケット、
３３：ハンドル、
３４：クランプ板、
３５：ボルト、
３６：ネジ取付け金具、
３７：ネジ棒、
３８：第４位置決め手段、
３９：第５位置決め手段、
４０：第６位置決め手段、
４１：ガイド金具、
４２：蓋板、
４３：第７位置決め手段、
４４：押さえ板、
４５：ボルト、
４６：ストッパー。
【図１】
0003555904.tif 000002
【図２】
0003555904.tif 000003
【図３】
0003555904.tif 000004
【図４】
0003555904.tif 000005
【図５】
0003555904.tif 000006
【図６】
0003555904.tif 000007
【図７】
0003555904.tif 000008
【図８】
0003555904.tif 000009
【図９】
0003555904.tif 000010
【図１０】
0003555904.tif 000011
【図１１】
0003555904.tif 000012
【図１２】
0003555904.tif 000013
【図１３】
0003555904.tif 000014
【図１４】
0003555904.tif 000015
【図１５】
0003555904.tif 000016